(57)【要約】【課題】試し印刷の前にプレビュー表示を行うことで、無駄な試し印刷が行われないようにした画像形成装置を提供する。【解決手段】デジタル複合機１は、各種情報を表示するタッチパネル１０と、ユーザによる操作入力を受け付けるキー操作部２０と、画像データのプレビュー画像を生成するプレビュー画像生成部１６ａと、画像データを印刷する記録部１２と、記録部１２による印刷を行う前に画像データのプレビュー画像をタッチパネル１０に表示させるパネル制御部１１とを備える。記録部１２は、画像データに対して複数部数の印刷指定があった場合に試し印刷として１部だけ印刷可能とし、キー操作部２０は、画像データのプレビュー画像がタッチパネル１０に表示された後に、ユーザによる試し印刷の実行指示を受け付ける。【選択図】図２
2010034844.tif 000002
【特許請求の範囲】
【請求項１】
各種情報を表示する表示部と、ユーザによる操作入力を受け付ける操作入力部と、画像データのプレビュー画像を生成するプレビュー画像生成部と、前記画像データを印刷する印刷部とを備え、該印刷部による印刷を行う前に前記画像データのプレビュー画像を前記表示部に表示させる画像形成装置であって、
前記印刷部は、前記画像データに対して複数部数の印刷指定があった場合に試し印刷として１部だけ印刷可能とし、
前記操作入力部は、前記画像データのプレビュー画像が前記表示部に表示された後に、ユーザによる前記試し印刷の実行指示を受け付けることを特徴とする画像形成装置。
【請求項２】
前記表示部は、前記プレビュー画像の表示画面内に、前記操作入力部として、前記試し印刷の実行を指示するための印刷実行キーをタッチ操作可能に表示させ、
ユーザにより前記印刷実行キーがタッチされると、前記印刷部が前記試し印刷を実行することを特徴とする請求項１に記載の画像形成装置。
【請求項３】
前記表示部は、前記印刷実行キーを、前記プレビュー画像の最終頁を表示するときに同時に表示することを特徴とする請求項２に記載の画像形成装置。
【請求項４】
前記操作入力部は、前記プレビュー画像の表示画面外に、前記試し印刷の実行を指示するための印刷実行ボタンを備え、
前記プレビュー画像の表示後に、ユーザにより前記印刷実行ボタンが押下されると、前記印刷部が前記試し印刷を実行することを特徴とする請求項１に記載の画像形成装置。
【請求項５】
前記印刷部は、前記プレビュー画像として表示中の画像データに対して、前記試し印刷を実行することを特徴とする請求項１に記載の画像形成装置。
【請求項６】
前記表示部は、前記試し印刷の実行後に、該試し印刷後の処理を選択するための選択画面を表示させ、
前記選択画面は、印刷条件の変更処理，再度の試し印刷処理，残り部数の印刷処理のいずれかの処理をユーザにより選択可能としたことを特徴とする請求項１〜５のいずれか１項に記載の画像形成装置。
【請求項７】
原稿を読み取って画像データを入力する原稿読取部と、画像データを記憶した外部機器と接続するインターフェイス部と、画像データを記憶した画像記憶部とを備え、
前記試し印刷の対象とする画像データは、前記原稿読取部から取得された画像データ、前記外部機器から取得された画像データ、前記画像記憶部から取得された画像データのいずれかであることを特徴とする請求項１〜６のいずれか１項に記載の画像形成装置。
【発明の詳細な説明】
【技術分野】
【０００１】
本発明は、画像形成装置に関し、原稿画像を読み取った画像データを画像形成前にプレビューする機能を備えた送画像形成装置に関する。
【背景技術】
【０００２】
従来から、複写機等の画像形成装置において、画像形成を行う画像データを画像形成前にプレビュー表示する機能が備わっているものがある。
例えば、スキャナによって読み取った原稿の画像データや、外部機器から送信された画像データを画像形成（印刷）させる際に、画像形成しようとする画像データをプレビュー表示させ、その表示をユーザが確認してから画像形成を行うことができるようにしたものがある。
【０００３】
また、画像形成装置で画像データを画像形成させる際に、ユーザの設定に応じて試し印刷を行う機能を備えたものがある。この試し印刷とは、複数部数指定でコピーを指定したときに、最初に一部のみ印刷出力し、ユーザがその印刷結果を確認した後に、そのまま継続して出力させるか、中止して読み込みからやり直すか、いずれかの方法を選択するために行われるものである。
【０００４】
例えば、特許文献１には、試しコピー（試し印刷）の際に、一部印刷出力するとともにプレビュー画面を表示し、ページの削除、追加、回転を行えるようしたデジタル複写機が記載されている。このデジタル複写機によれば、入力された部数にかかわらず一部印刷出力すると同時に、プレビュー画面を表示し、プレビュー画面で指定したページの画像データを消去、回転し、さらに、追加ページの読み込み、挿入を行うことができる。
【特許文献１】特開２００４−１５４７５号公報
【発明の開示】
【発明が解決しようとする課題】
【０００５】
しかしながら、上記特許文献１に記載のデジタル複写機の場合、プレビュー表示された時点では、既に試し印刷が実行されているため、ユーザがプレビュー表示を確認してから画像データの印刷設定等を変更した場合には、変更後の画像データにより再度試し印刷を行う必要がある。このような場合、プレビュー表示前に既に試し印刷された分は無駄になってしまうことになり、試し印刷により紙やトナーを無駄に消費してしまうという問題があった。
【０００６】
本発明は、上述のごとき実情に鑑みてなされたものであり、試し印刷の前にプレビュー表示を行うことで、無駄な試し印刷が行われないようにした画像形成装置を提供すること、を目的とする。
【課題を解決するための手段】
【０００７】
上記課題を解決するために、本発明の第１の技術手段は、各種情報を表示する表示部と、ユーザによる操作入力を受け付ける操作入力部と、画像データのプレビュー画像を生成するプレビュー画像生成部と、前記画像データを印刷する印刷部とを備え、該印刷部による印刷を行う前に前記画像データのプレビュー画像を前記表示部に表示させる画像形成装置であって、前記印刷部は、前記画像データに対して複数部数の印刷指定があった場合に試し印刷として１部だけ印刷可能とし、前記操作入力部は、前記画像データのプレビュー画像が前記表示部に表示された後に、ユーザによる前記試し印刷の実行指示を受け付けることを特徴としたものである。
【０００８】
第２の技術手段は、第１の技術手段において、前記表示部は、前記プレビュー画像の表示画面内に、前記操作入力部として、前記試し印刷の実行を指示するための印刷実行キーをタッチ操作可能に表示させ、ユーザにより前記印刷実行キーがタッチされると、前記印刷部が前記試し印刷を実行することを特徴としたものである。
【０００９】
第３の技術手段は、第１の技術手段において、前記表示部は、前記印刷実行キーを、前記プレビュー画像の最終頁を表示するときに同時に表示することを特徴としたものである。
【００１０】
第４の技術手段は、第１の技術手段において、前記操作入力部は、前記プレビュー画像の表示画面外に、前記試し印刷の実行を指示するための印刷実行ボタンを備え、前記プレビュー画像の表示後に、ユーザにより前記印刷実行ボタンが押下されると、前記印刷部が前記試し印刷を実行することを特徴としたものである。
【００１１】
第５の技術手段は、第１の技術手段において、前記印刷部は、前記プレビュー画像として表示中の画像データに対して、前記試し印刷を実行することを特徴としたものである。
【００１２】
第６の技術手段は、第１〜第５のいずれか１の技術手段において、前記表示部は、前記試し印刷の実行後に、該試し印刷後の処理を選択するための選択画面を表示させ、前記選択画面は、印刷条件の変更処理，再度の試し印刷処理，残り部数の印刷処理のいずれかの処理をユーザにより選択可能としたことを特徴としたものである。
【００１３】
第７の技術手段は、第１〜第６のいずれか１の技術手段において、原稿を読み取って画像データを入力する原稿読取部と、画像データを記憶した外部機器と接続するインターフェイス部と、画像データを記憶した画像記憶部とを備え、前記試し印刷の対象とする画像データは、前記原稿読取部から取得された画像データ、前記外部機器から取得された画像データ、前記画像記憶部から取得された画像データのいずれかであることを特徴としたものである。
【発明の効果】
【００１４】
本発明によれば、試し印刷の前にプレビュー表示を行うことにより、ユーザはプレビュー表示で印刷内容を確認してから、試し印刷を行うことができるため、無駄な試し印刷を行わなくてすみ、紙やトナーの無駄な消費を抑えることができる。
【発明を実施するための最良の形態】
【００１５】
以下、添付図面を参照しながら、本発明の画像形成装置に係る好適な実施の形態について説明する。以下、本発明に係る画像形成装置をプリント機能、コピー機能、ファクシミリ送受信機能等を有するデジタル複合機に適用した形態について、その実施の形態を示す図面に基づいて具体的に説明する。
【００１６】
図１は、本発明の一実施形態に係る画像形成装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００１７】
デジタル複合機１は、本発明の画像形成装置の実施形態の１つであり、プリント機能、コピー機能の他に、画像データをファックスで送受信する機能（ファクシミリ機能）及び／又は画像データをインターネットＦＡＸで送受信する機能（インターネットＦＡＸ機能）を有する。このデジタル複合機１には、通信網を介して各種の外部機器が接続される。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続される。また、デジタル複合機１には、公衆電話回線網ＰＮを介して外部のファクシミリ装置５が接続される。
【００１８】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００１９】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４及びＵＳＢ（Universal Serial Bus：登録商標）インターフェース（Ｉ／Ｆ）２５を備えている。
【００２０】
メイン制御部１８は、ＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内には、メイン制御部１８から読み出し可能なように、プログラム（ファームウェア）と各種設定データとが格納されている。このうち少なくとも各種設定データは書き換え可能なメモリに格納されている。また、これらのプログラムや各種設定データは、画像記憶部１５に記憶してもよい。また、制御用バッファ２２はＲＡＭ（Random Access Memory）等の揮発性メモリで構成される。
【００２１】
上述のプログラムは、本発明に係る後述のプレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、後述の各種設定データを適宜参照しながら実行される。
【００２２】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。上述のＡＳＩＣには符号化／復号部１７等の他の部位も組み込んでよい。
【００２３】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００２４】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００２５】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００２６】
記録部１２は、電子写真方式やインクジェット方式などの印刷方式を採用したプリンタ装置を備え、画像記憶部１５に記憶された画像データなどを、記録用紙に記録（つまり印刷）する印刷手段として機能する。また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００２７】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００２８】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００２９】
タッチパネル１０またはキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける操作入力部である。
【００３０】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３１】
タッチパネル１０の表示部には、現在の動作状態や設定情報などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリまたは制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００３２】
タッチパネル１０上で受けたユーザ操作は、パネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けても良く、その場合、キー操作部２０のみでユーザ操作を受け付ける。
【００３３】
タッチパネル１０及びキー操作部２０は、図３で例示するような操作パネル３０として構成される。この例では、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００３４】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００３５】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００３６】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００３７】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００３８】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。
【００３９】
領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００４０】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データ関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４１】
＜印刷動作＞
上述した原稿読み取り動作により、読み取った原稿の画像データのファイリングまでは完了する。次に、読み取った原稿の画像データを印刷（画像形成）する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４２】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００４３】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００４４】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。
【００４５】
空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。
二色化処理としては、ＲＧＢデータから指定の二色（この場合、赤色と黒色）を表現するようなＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００４６】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。
【００４７】
出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００４８】
中間調生成処理後のＣＭＹＫデータは記録部１２に渡される。記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。なお、ここで説明した印刷動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００４９】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。
プレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。
【００５０】
プレビュー表示動作において、メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００５１】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。
プレビュー用画像処理としては、以下にその概略を説明するように、画質調整処理、二色化処理、色補正処理、空間フィルタ処理、変倍処理、及び出力階調補正処理などが挙げられる。空間フィルタ処理、及び出力階調補正処理は、領域分離データが示す各種領域に応じた処理となる。
【００５２】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００５３】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、操作パネル３０でユーザ操作により設定されたプレビュー表示倍率に基づいて画像拡大処理や画像縮小処理を行う。プレビュー表示倍率とは、例えば２倍、４倍等の固定倍率であって、プレビュー表示時の画像の倍率である。勿論、プレビュー表示倍率はユーザ操作により得られた倍率に限らず、プレビュー表示倍率に対する操作がなかった場合にはデフォルト設定の倍率となる。
【００５４】
画像処理部１６に設けたプレビュー画像生成部１６ａは、主にこのようなプレビュー表示用の変倍処理によりプレビュー表示用の画像（プレビュー画像）を生成する。
【００５５】
出力階調補正処理としては、プレビュー画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００５６】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。
生成されたＣＭＹＫは、後段の色補正処理において、タッチパネル３２の表示特性に基づいてＲ′Ｇ′Ｂ′データに変換される。
【００５７】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
なお、ここで説明したプレビュー表示動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。
【００５８】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理及びプレビュー表示時の縮小／拡大率に応じた変倍処理を行って、タッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００５９】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、ファクシミリ送信やインターネットＦＡＸ送信等の画像データ送信時にも適用することができる。
【００６０】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００６１】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００６２】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００６３】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００６４】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００６５】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００６６】
そして、本発明のデジタル複合機１は、送信対象の画像データに発信元情報等の付加情報を付加して送信することが可能となっている。画像データに付加された付加情報は付加画像であると言える。この付加情報は制御用メモリ１９に格納しておけばよい。また、付加情報を複数、制御用メモリ１９に格納しておくと共に、付加設定情報を制御用メモリ１９に格納しておくとよい。この付加設定情報としては、送信対象の画像データに対して付加する位置（付加位置）を示す情報を少なくとも含み、複数の付加情報が格納されている場合にはそのいずれを選ぶかの情報も含むものとする。
【００６７】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。本発明のデジタル複合機１では、付加情報の画像データを変倍処理後の画像データに対して付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００６８】
＜ファクシミリ送信する画像データのプレビュー表示動作＞
本発明のデジタル複合機１では、ファクシミリ送信等で送信対象となった画像データについてプレビュー表示を可能にする構成が必須となる。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてメイン制御部１８はパネル制御部１１への指示も行う。
【００６９】
このプレビュー表示動作では、画像処理部１６が、画質調整処理、空間フィルタ処理、及び変倍処理まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理及びプレビュー表示時の縮小／拡大率に応じた変倍処理を行うことでプレビュー画像のデータを生成する。なお、このプレビュー表示動作では、空間フィルタ処理は実行されなくてもよく、また中間調生成処理は実行されない。
【００７０】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００７１】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００７２】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００７３】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００７４】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００７５】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００７６】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００７７】
また、本発明のデジタル複合機１は、送信対象の画像データがインターネット経由で送信する画像データであっても、ファクシミリ送信画像データの場合と同様に、発信元情報などの付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【００７８】
＜インターネット経由で送信する画像データのプレビュー表示動作＞
ファクシミリ送信時のプレビュー表示について説明したのと同様に、本発明のデジタル複合機１は、インターネット経由で送信する対象となった画像データも、タッチパネル３２でプレビュー表示可能に構成することができる。
【００７９】
このプレビュー表示動作では、ファクシミリ送信時のプレビュー表示について説明したのと同様に、画像処理部１６が、画質調整処理、空間フィルタ処理、及び変倍処理まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれてタッチパネル３２に表示されることになる。また、付加位置を示す情報又は付加情報の合成についても、ファクシミリ送信時のプレビュー表示についての説明が援用できる。
【００８０】
＜画像データ送信前のプレビュー表示の説明＞
以上、ファクシミリ送信時やインターネット経由の画像データ送信時についてプレビュー表示動作を説明したように、本発明に係るデジタル複合機１では、少なくとも送信対象となった画像データについて、画像記憶部１５から読み出してそのプレビュー画像を生成するプレビュー画像生成部１６ａを有する。プレビュー画像生成部１６ａで生成されたプレビュー画像は、メイン制御部１８の制御によりタッチパネル３２に送られ、パネル制御部１１によりＧＵＩ画像に組み込んで表示する制御がなされ、タッチパネル３２に表示される。このように、タッチパネル３２は、送信対象の画像データをプレビュー表示する画像表示部の一例である。
【００８１】
図４は、デジタル複合機の標準画面の例を示す図である。標準画面４０は、デジタル複合機１の電源がオンになったりリセットされたときに、デジタル複合機１のタッチパネル３２に表示されるものである。この標準画面４０では、コピータブ４２によりコピーモードが選択されており、コピーを行うための各種の条件設定が可能となっている。例えば、カラーモード，コピー濃度，倍率，原稿，用紙，両面コピー，仕上げなどの項目について設定することができる。
【００８２】
そしてこの標準画面４０には、プレビュー確認キー４１が表示され、ユーザは、タッチパネル３２を使用してプレビュー確認キー４１を操作することによって、画像データのプレビューを表示させることができる。なお、標準画面４０は、イメージ送信タブ４３が選択された場合、イメージ送信モードに移行し、イメージ送信を行うための各種の条件設定を行う画面に切り替わり、ドキュメントファイリングタブ４４が選択された場合、ドキュメントファイリングモードに移行し、ドキュメントファイリングを行うための各種の条件設定を行う画面に切り替わる。
【００８３】
また、特別機能キー４５は、デジタル複合機１が備える特別機能の設定画面に移行するためのキーであり、この設定画面において後述する試し印刷機能（試し印刷モード）を設定することができる。
【００８４】
このときにプレビュー表示される画像データは、読取部１３（図２）によって読み取られ、画像記憶部１５に記憶された原稿画像の画像データである。また、この他、ファクシミリやインターネットＦＡＸ等により外部機器から受信し、画像記憶部１５に記憶した画像データをプレビューの対象とすることもできる。
例えばユーザは、原稿をコピーしようとするときに、読取部１３に原稿をセットして、まずプレビュー確認キー４１を操作する。そしてその後、コピーを開始するスタートキー３１ｄ（図３）を押すことにより、原稿画像の読み取りが行われ、画像記憶部１５に記憶された画像データがプレビュー表示される。あるいは、外部機器から受信した画像データを印刷させる操作をするときに、プレビュー確認キー４１を操作した後、スタートキー３１ｄを押すことにより、その画像データをプレビュー表示させることができる。
【００８５】
＜本発明に係るプレビュー表示の説明＞
上記のように構成されたデジタル複合機１において、本発明の主たる特徴部分は、試し印刷の前にプレビュー表示を行うことで、無駄な試し印刷が行われないようにすることである。このための構成として、デジタル複合機１は、各種情報を表示する表示部に相当するタッチパネル１０と、ユーザによる操作入力を受け付ける操作入力部に相当するキー操作部２０（あるいはタッチパネル１０）と、画像データのプレビュー画像を生成するプレビュー画像生成部１６ａと、画像データを印刷する印刷部に相当する記録部１２と、記録部１２による印刷を行う前に画像データのプレビュー画像をタッチパネル１０に表示させるパネル制御部１１とを備える。
【００８６】
記録部１２は、画像データに対して複数部数の印刷指定があった場合に試し印刷（試しコピー）として１部だけ印刷可能としている。キー操作部２０は、画像データのプレビュー画像がタッチパネル１０に表示された後に、ユーザによる試し印刷の実行指示を受け付ける。すなわち、試し印刷モードを設定可能として、この試し印刷モードが設定されると、例えば全１０部の印刷指定に対して、画像データのプレビュー画像がタッチパネル１０に表示された後に、ユーザによる実行指示に基づいて１部だけ試し印刷を行うことができる。このように、試し印刷の前にプレビュー表示を行うことにより、ユーザはプレビュー表示で印刷内容を確認してから、試し印刷を行うことができるため、無駄な試し印刷を行わなくてすみ、紙やトナーの無駄な消費を抑えることができる。
【００８７】
例えば、タッチパネル１０を操作入力部とした場合には、タッチパネル１０は、パネル制御部１１からの制御に基づいて、後述の図９に示すように、プレビュー画像の表示画面内に、プレビュー画像と共に、試し印刷の実行を指示するための印刷実行キー（コピー開始キーに相当）をタッチ操作可能に表示させる。ユーザによりこの印刷実行キーがタッチされると、記録部１２が試し印刷を実行する。
【００８８】
一方、キー操作部２０を操作入力部とした場合には、キー操作部２０は、プレビュー画像の表示画面外に、試し印刷の実行を指示するための印刷実行ボタン（図３のスタートキー３１ｄに相当）を備える。そして、プレビュー画像の表示後に、ユーザによりこの印刷実行ボタンが押下されると、記録部１２が試し印刷を実行する。この場合、プレビュー画像が表示されるまでは、印刷実行ボタンに対する入力を受け付けないように制御される。
【００８９】
また、タッチパネル１０は、パネル制御部１１からの制御に基づいて、後述の図１０に示すように、試し印刷の実行後に、試し印刷後の処理を選択するための選択画面（試し印刷確認ダイアログ）を表示させる。この選択画面は、印刷条件の変更処理，再度の試し印刷処理，残り部数の印刷処理のいずれかの処理をユーザにより選択できるようにしたものである。
【００９０】
さらに、デジタル複合機１は、原稿を読み取って画像データを入力する原稿読取部に相当する読取部１３と、画像データを記憶した外部機器と接続するインターフェイス部に相当するＬＡＮ制御部２１（あるいはＵＳＢＩ／Ｆ２５，ＮＣＵ２３）と、画像データを記憶した画像記憶部１５とを備える。試し印刷の対象とする画像データは、読取部１３から取得された画像データ、ＬＡＮ制御部２１等を介して外部機器から取得された画像データ、画像記憶部１５から取得された画像データのいずれかとすることができる。
【００９１】
以下、本発明に係るデジタル複合機１によるプレビュー表示の処理の流れについて、その画面表示例を対応付けながら説明する。なお、以下の画面表示例（図９〜図１２）は、本発明の一実施形態である上記のデジタル複合機１におけるタッチパネル３２の表示例を示している。
【００９２】
図５〜図８は、本発明のデジタル複合機１によるプレビュー表示処理の一例を説明するためのフロー図である。図６〜図８は図５に示すフローの続きである。なお、本例は図４に示す標準画面４０においてコピータブ４２によりコピーモードが選択された場合について説明する。
【００９３】
図５において、まず、デジタル複合機１は、図４に示す標準画面４０を表示した状態で、ユーザ操作に基づいて、各種コピー条件を設定する（ステップＳ１）。なお、特別機能キー４５をオンすることで特別機能の設定画面に移行して試し印刷の設定（試し印刷モードをオン／オフの設定）を行うことができる。そして、ユーザにより操作パネル３０のスタートキー３１ｄが押下されたか否かを判定し（ステップＳ２）、スタートキー３１ｄが押下されたと判定した場合（ＹＥＳの場合）、メイン制御部１８は読取部１３に原稿読取処理（サブプロセス）を開始するように指示すると共に、プレビュー画像生成部１６ａにプレビュー画像を生成させる処理（サブプロセス）を開始するように指示する（ステップＳ３）。また、ステップＳ２において、スタートキー３１ｄが押下されないと判定した場合（ＮＯの場合）、ステップＳ１に戻り処理を繰り返す。
【００９４】
次に、メイン制御部１８は、標準画面４０におけるプレビュー確認キー４１によるプレビュー設定がなされているか否かを判定し（ステップＳ４）、プレビュー設定がなされていると判定した場合（ＹＥＳの場合）、試し印刷が設定されているか否かを判定する（ステップＳ５）。また、ステップＳ４において、プレビュー設定がなされていない場合（ＮＯの場合）、図７に示すステップＳ３１に移行する。
【００９５】
次に、ステップＳ５において、メイン制御部１８により試し印刷設定がなされていると判定された場合（ＹＥＳの場合）、パネル制御部１１は、後述の図９に示すプレビュー表示画面をタッチパネル３２に表示させる（ステップＳ６）。また、ステップＳ５において、試し印刷設定がなされていない場合（ＮＯの場合）、図８に示すステップＳ４１に移行する。
【００９６】
次に、メイン制御部１８は、ステップＳ６で表示されたプレビュー表示画面（図９）に対して、プレビュー表示画面５０上のコピー開始キー５７（印刷実行キーに相当）がオンされたか否かを判定し（ステップＳ７）、コピー開始キー５７がオンされたと判定した場合（ＹＥＳの場合）、設定されたコピー条件で、一部のみ印刷（試し印刷）する（ステップＳ８）。また、ステップＳ７において、コピー開始キー５７がオンされないと判定した場合（ＮＯの場合）、図６に示すステップＳ２１に移行する。
【００９７】
ここで、ステップＳ６において、プレビュー表示を行う場合、コピー開始キー５７（印刷実行キー）を、プレビュー画像の最終頁を表示するときに同時に表示するようにしてもよい。すなわち、最終頁の画像がプレビュー表示されるまで、コピー開始キー５７を表示させない、あるいは、グレーアウト（無効）表示しておき、ユーザが次のページに移動するキー６１を操作して、“表示中のプレビュー画像のページ数”／“プレビュー画像の総ページ数”キー６０の“表示中のプレビュー画像のページ数”が“プレビュー画像の総ページ数”と等しくなったときに、コピー開始キー５７を表示するようにしてもよい。これにより、ユーザに対して画像データの最終頁までプレビュー確認することを促し、全ページのプレビュー確認後に試し印刷を行うようにすることができる。
【００９８】
また、ステップＳ８において、一部のみ試し印刷を行う場合、図９のプレビュー表示画面５０上にプレビュー表示されているページに対して、試し印刷を実行するようにしてもよい。具体的には、図９のプレビュー表示画面５０には、プレビュー表示中のページに対応して、“表示中のプレビュー画像のページ数”／“プレビュー画像の総ページ数”キー６０が表示される。そして、この“表示中のプレビュー画像のページ数”で指定されるページ（図９の例では、“０００１”）のプレビュー画像を試し印刷する。このように、プレビュー表示中のページのみを試し印刷することで、試し印刷で使用する用紙枚数を減らすことができる。
【００９９】
また、ステップＳ８で試し印刷（１部）が実行された後に、後述の図１０に示す試し印刷確認ダイアログ７０（選択画面に相当）を表示し（ステップＳ９）、操作パネル３０のスタートキー３１ｄがオンされたか否かを判定する（ステップＳ１０）。ここで、スタートキー３１ｄがオンされたと判定した場合（ＹＥＳの場合）、ステップＳ８に戻り、再度試し印刷（１部）を実行する。また、スタートキー３１ｄがオンされないと判定した場合（ＮＯの場合）、試し印刷確認ダイアログ７０内の変更キー７１がオンされたか否かを判定する（ステップＳ１１）。
【０１００】
次に、ステップＳ１１において、印刷確認ダイアログ７０内の変更キー７１がオンされたと判定した場合（ＹＥＳの場合）、図６に示すステップＳ２２に移行する。また、変更キー７１がオンされないと判定した場合（ＮＯの場合）、印刷確認ダイアログ７０内の試し印刷終了キー７２がオンされたか否かを判定する（ステップＳ１２）。ここで、試し印刷終了キー７２がオンされたと判定した場合（ＹＥＳの場合）、２部以降（残り部数）のコピーを実行する（ステップＳ１３）。また、試し印刷終了キー７２がオンされないと判定した場合（ＮＯの場合）、ステップＳ９に戻り処理を繰り返す。
【０１０１】
図６において、図５のステップＳ７でプレビュー表示画面５０上のコピー開始キー５７がオンされない場合（ＮＯの場合）、メイン制御部１８は、プレビュー表示画面５０上の再設定キー５１がオンされているか否かを判定し（ステップＳ２１）、再設定キー５１がＯＮされていないと判定した場合（ＮＯの場合）、図５のステップＳ７に戻り処理を繰り返す。また、ステップＳ２１において、再設定キー５１がオンされていると判定した場合（ＹＥＳの場合）、パネル制御部１１は、後述の図１１に示すプレビュー再設定画面８０をタッチパネル３２に表示させる（ステップＳ２２）。
【０１０２】
次に、メイン制御部１８は、図１１に示すプレビュー再設定画面８０内のキャンセルキー８１がオンされたか否かを判定し（ステップＳ２３）、キャンセルキー８１がオンされたと判定した場合（ＹＥＳの場合）、コピー設定を原稿読み込み時の設定（ステップＳ１での設定）あるいはデフォルト設定に戻して（ステップＳ２４）、ステップＳ２２に移行する。また、ステップＳ２３において、キャンセルキー８１がオンされないと判定した場合（ＮＯの場合）、プレビュー再設定画面８０内の再プレビューキー８２がオンされたか否かを判定する（ステップＳ２５）。ここで、再プレビューキー８２がオンされたと判定した場合（ＹＥＳの場合）、図５のステップＳ６に戻り、プレビュー再設定画面８０で設定された条件に基づいてプレビュー表示画面を生成して表示する。また、再プレビューキー８２がオンされないと判定した場合（ＮＯの場合）、プレビュー再設定画面８０において“コピー濃度”キーなどの設定変更キーがオンされたか否かを判定する（ステップＳ２６）。ここで、設定変更キーがオンされたと判定した場合（ＹＥＳの場合）、図示しない設定変更ウインドウ（画面）を表示させ、その設定変更ウインドウでの設定変更操作によって設定を変更し（ステップＳ２７）、ステップＳ２３に戻り処理を繰り返す。一方、設定変更キーがオンされないと判定した場合（ＮＯの場合）、ステップＳ２３に戻り処理を繰り返す。
【０１０３】
図７において、図５のステップＳ４でプレビュー設定がなされていない場合（ＮＯの場合）、試し印刷が設定されているか否かを判定する（ステップＳ３１）。ここで、メイン制御部１８により試し印刷設定がなされていると判定された場合（ＹＥＳの場合）、設定されたコピー条件で、一部のみ印刷（試し印刷）する（ステップＳ３２）。また、ステップＳ３１において、試し印刷設定がなされていない場合（ＮＯの場合）、図８に示すステップＳ４３に移行して、指定部数の印刷処理を実行する。
【０１０４】
次に、ステップＳ３２で試し印刷（１部）が実行された後に、後述の図１０に示す試し印刷確認ダイアログ７０（選択画面）を表示し（ステップＳ３３）、操作パネル３０のスタートキー３１ｄがオンされたか否かを判定する（ステップＳ３４）。ここで、スタートキー３１ｄがオンされたと判定した場合（ＹＥＳの場合）、ステップＳ３２に戻り、再度試し印刷（１部）を実行する。また、スタートキー３１ｄがオンされないと判定した場合（ＮＯの場合）、試し印刷確認ダイアログ７０内の変更キー７１がオンされたか否かを判定する（ステップＳ３５）。
【０１０５】
次に、ステップＳ３５において、印刷確認ダイアログ７０内の変更キー７１がオンされたと判定した場合（ＹＥＳの場合）、後述の図１２に示す、プレビュー表示しない場合の試し印刷後の変更画面９０を表示し、これによりコピー条件の変更設定を行い（ステップＳ３６）、変更画面内のＯＫキー９１がオンされたか否かを判定する（ステップＳ３７）。ここで、ＯＫキー９１がオンされたと判定した場合（ＹＥＳの場合）、ステップＳ３３に戻り処理を繰り返す。また、ＯＫキー９１がオンされないと判定した場合（ＮＯの場合）、ステップＳ３６に戻り処理を繰り返す。また、ステップＳ３５において、変更キー７１がオンされないと判定した場合（ＮＯの場合）、印刷確認ダイアログ７０内の試し印刷終了キー７２がオンされたか否かを判定する（ステップＳ３８）。ここで、試し印刷終了キー７２がオンされたと判定した場合（ＹＥＳの場合）、図５のステップＳ１３に移行して、２部以降（残り部数）のコピーを実行する。また、試し印刷終了キー７２がオンされないと判定した場合（ＮＯの場合）、ステップＳ３３に戻り処理を繰り返す。
【０１０６】
図８において、図５のステップＳ５で試し印刷設定がなされていない場合（ＮＯの場合）、パネル制御部１１は、後述の図９に示すプレビュー表示画面５０をタッチパネル３２に表示させる（ステップＳ４１）。
【０１０７】
次に、メイン制御部１８は、ステップＳ４１で表示されたプレビュー表示画面５０（図９）に対して、プレビュー表示画面５０上のコピー開始キー５７がオンされたか否かを判定し（ステップＳ４２）、コピー開始キー５７がオンされたと判定した場合（ＹＥＳの場合）、指定部数のコピーを実行する（ステップＳ４３）。また、ステップＳ４２において、コピー開始キー５７がオンされないと判定した場合（ＮＯの場合）、メイン制御部１８は、プレビュー表示画面５０上の再設定キー５１がオンされているか否かを判定し（ステップＳ４４）、再設定キー５１がＯＮされていないと判定した場合（ＮＯの場合）、ステップＳ４２に戻り処理を繰り返す。また、ステップＳ４４において、再設定キー５１がオンされていると判定した場合（ＹＥＳの場合）、パネル制御部１１は、後述の図１１に示すプレビュー再設定画面８０をタッチパネル３２に表示させる（ステップＳ４５）。
【０１０８】
次に、メイン制御部１８は、図１１に示すプレビュー再設定画面８０内のキャンセルキー８１がオンされたか否かを判定し（ステップＳ４６）、キャンセルキー８１がオンされたと判定した場合（ＹＥＳの場合）、コピー設定を原稿読み込み時の設定（ステップＳ１での設定）あるいはデフォルト設定に戻して（ステップＳ４７）、ステップＳ４５に移行する。また、ステップＳ４６において、キャンセルキー８１がオンされないと判定した場合（ＮＯの場合）、プレビュー再設定画面８０内の再プレビューキー８２がオンされたか否かを判定する（ステップＳ４８）。ここで、再プレビューキー８２がオンされたと判定した場合（ＹＥＳの場合）、ステップＳ４１に戻り、プレビュー再設定画面８０で設定された条件に基づいてプレビュー表示画面を生成して表示する。また、再プレビューキー８２がオンされないと判定した場合（ＮＯの場合）、プレビュー再設定画面８０において“コピー濃度”キーなどの設定変更キーがオンされたか否かを判定する（ステップＳ４９）。ここで、設定変更キーがオンされたと判定した場合（ＹＥＳの場合）、図示しない設定変更ウインドウ（画面）を表示させ、その設定変更ウインドウでの設定変更操作によって設定を変更し（ステップＳ５０）、ステップＳ４６に戻り処理を繰り返す。一方、設定変更キーがオンされないと判定した場合（ＮＯの場合）、ステップＳ４６に戻り処理を繰り返す。
【０１０９】
図９は、プレビュー表示画面の一例を示す図で、図中、５０はプレビュー表示画面を示す。図９（Ａ）は通常のプレビュー表示の例を示し、図９（Ｂ）は２倍表示のプレビュー表示の例を示す。前述の図４に示した標準画面４０において、各種設定を行い、プレビュー確認キー４１がオンされた後に、操作パネル３０のスタートキー３１ｄ（図３）が押下された場合、原稿台又は原稿送り装置にセットされた原稿の読み込みを開始し、プレビュー表示画面５０を表示させる。なお、原稿読み込みと同時に「原稿を読み込み中です。」のダイアログメッセージを表示し、読み込み原稿１枚目の画像処理が完了すれば、プレビュー表示画面５０に移行する。この際、原稿読み込み途中の場合もプレビュー画像が生成できた時点で移行するようにしてもよい。
【０１１０】
図９（Ａ），（Ｂ）において、プレビュー表示画面５０には、再設定キー５１、仕上がり表示キー５２、設定確認キー５３、ページ削除キー５４、拡大／縮小キー５５、表示の回転キー５６、コピー開始キー５７、プレビュー画像５８、ページ移動キー５９〜６１、及びスクロールバー６２が設けられている。
【０１１１】
再設定キー５１は、後述の図１１に示す再設定画面を開くためのキーであり、プレビュー画面確認後、設定を変更する場合にオンされる。仕上がり表示キー５２は、ステープル，パンチ，中綴じ，印字メニューなど実際にプレビュー画像で確認できるものをプレビュー画像上にアイコン等を表示して情報として通知するためのキーである。この仕上がり表示キー５２は、“全画面表示”の場合のみ押下可能とし、縮小／拡大表示の場合にはグレーアウト表示する。仕上がり表示キー５２の押下時に確認可能となる機能は、ステープル（中綴じステープル含む），パンチ，印字メニューの設定内容などが含まれる。
【０１１２】
設定確認キー５３は、デジタル複合機１に設定された設定内容を表示するためのキーである。ページ削除キー５４は、ページ削除画面を開くためのキーであり、“表示中のページを削除”，“指定したページを削除”，“全ページの削除”のどれかを選択してページの削除を行う。通常は“表示中のページを削除”が選択された状態である。拡大／縮小キー５５は、プレビュー画像を拡大／縮小するためのキーであり、選択可能なメニューとして、例えば“全画面表示”，“２倍”，“４倍”，“８倍”の４種類とし、デフォルトは“２倍”とする。拡大／縮小はページ単位ではなく、データ全体に反映され、ページ移動、表示の回転を行った場合も拡大／縮小の設定は保持される。
【０１１３】
表示の回転キー５６は、プレビュー画像の向きが横向きになっている場合などに、プレビュー画像を左あるいは右に９０度回転するためのキーであり、表示の回転はページ単位ではなく、データ全体に反映されることとし、ページ移動、拡大／縮小した場合も表示の回転の設定を保持することができる。また、キーを続けて押下し、９０度，１８０度，２７０度，…と表示を変更することも可能である。
【０１１４】
コピー開始キー５７は、コピー出力を開始するためのキーである。コピー開始キー５７は、プレビュー画像と共に、プレビュー画像の表示画面内に表示されるため、ユーザはプレビュー画像を見た後に確実に試しコピーを行うことができる。また、操作パネル３０のスタートキー３１ｄ（図３）により試しコピーを開始するようにした場合、プレビュー画像を確認する前にコピーを開始してしまうことが起こり得るため、プレビュー画像が表示されるまでは、スタートキー３１ｄへの入力は受け付けないように制御される。
【０１１５】
ここで、プレビュー表示を行う場合、コピー開始キー５７（印刷実行キー）を、プレビュー画像の最終頁を表示するときに同時に表示するようにしてもよい。すなわち、最終頁の画像がプレビュー表示されるまで、コピー開始キー５７を表示させない、あるいは、グレーアウト（無効）表示しておき、ユーザが次のページに移動するキー６１を操作して、“表示中のプレビュー画像のページ数”／“プレビュー画像の総ページ数”キー６０の“表示中のプレビュー画像のページ数”が“プレビュー画像の総ページ数”と等しくなったときに、コピー開始キー５７を表示するようにしてもよい。これにより、ユーザに対して画像データの最終頁までプレビュー確認することを促し、全ページのプレビュー確認後に試し印刷を行うようにすることができる。
【０１１６】
また、一部のみ試し印刷を行う場合、図９のプレビュー表示画面５０上にプレビュー表示されているページに対して、試し印刷を実行するようにしてもよい。具体的には、図９のプレビュー表示画面５０には、プレビュー表示中のページに対応して、“表示中のプレビュー画像のページ数”／“プレビュー画像の総ページ数”キー６０が表示される。そして、この“表示中のプレビュー画像のページ数”で指定されるページ（図９の例では、“０００１”）のプレビュー画像を試し印刷する。このように、プレビュー表示中のページのみを試し印刷することで、試し印刷で使用する用紙枚数を減らすことができる。
【０１１７】
プレビュー画像５８は、原稿を読み取って入力された画像データのプレビュー画像を用紙基準で表示したものである。ここではプレビュー画像が左上基準で表示された状態を示す。ページ移動キー５９〜６１は、ページ移動を行う場合に使用するキーである。５９は前方向への移動を行うキーで、左から順に、最初のページへ移動するキー，前ページへ移動するキーである。６１は後方向への移動を行うキーで、右から順に、最後のページへ移動するキー，次のページへ移動するキーである。６０は“表示中のプレビュー画像のページ数”／“プレビュー画像の総ページ数”を示す。“表示中のプレビュー画像のページ数”キー（本例では“０００１”が表示されている）を押下した場合はページ数入力画面へ移行し、テンキーにて指定したページへ移動することを可能とする。スクロールバー６２は、“全画面表示”にてプレビュー表示している場合、グレーアウト表示されるが、拡大時は拡大するに従って変化していく。
【０１１８】
図１０は、試し印刷確認ダイアログの一例を示す図で、図中、７０は試し印刷確認ダイアログである。タッチパネル１０は、パネル制御部１１からの制御に基づいて、試し印刷の実行後に、試し印刷後の処理を選択するための試し印刷確認ダイアログ７０を表示させる。この印刷確認ダイアログ７０において、プレビュー表示を行う場合、ダイアログ内の「変更」キー７１がオンされると、下記の図１１に示すように、印刷条件の変更処理を行うためのプレビュー再設定画面８０が表示される。なお、プレビュー表示を行わない場合、ダイアログ内の「変更」キー７１がオンされると、下記の図１２に示すように、印刷条件の変更処理を行うための変更画面９０が表示される。
【０１１９】
また、操作パネル３０のスタートキー３１ｄがオンされると、再度の試し印刷処理が実行される。また、ダイアログ内の「試し印刷終了」キー７２がオンされると、残り部数の印刷処理が実行される。
【０１２０】
図１１は、プレビュー再設定画面の一例を示す図で、図中、８０は再設定画面を示す。この再設定画面８０はプレビュー画像の表示後に図９に示した再設定キー５１が押下されると表示される。再設定画面８０には、コピー設定を原稿読み込み時に戻すためのキャンセルキー８１と、再設定後に再プレビュー表示するための再プレビューキー８２とが設けられる。この再設定画面８０にて、カラーモード，コピー濃度，倍率，原稿，用紙などの項目について再設定することができる。これらの項目について再設定を行った後に、再プレビューキー８２をオンすると、再設定が反映されたプレビュー画像が表示される。また、キャンセルキー８１がオンされると、コピー設定を原稿読み込み時の設定に戻すことができる。
【０１２１】
図１２は、プレビュー表示しない場合の試し印刷後の変更画面の一例を示す図で、図中、９０は変更画面を示す。この変更画面９０は、プレビュー表示させない場合の試し印刷後にコピー条件を変更する際に表示される。すなわち、変更画面９０は、プレビュー表示させずに試し印刷を行った後に、前述の図１０に示した試し印刷確認ダイアログ７０が表示され、ダイアログ内の「変更」キー７１がオンされると、表示される。ここで再設定できる項目としては、例えば、カラーモード，用紙，両面コピー，仕上げ，特別機能などがあり、これらの項目について再設定を行った後にＯＫキー９１をオンすると、再設定したコピー条件が確定する。
【図面の簡単な説明】
【０１２２】
【図１】本発明の一実施形態に係る画像形成装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】デジタル複合機の標準画面の例を示す図である。
【図５】本発明のデジタル複合機によるプレビュー表示処理の一例を説明するためのフロー図である。
【図６】本発明のデジタル複合機によるプレビュー表示処理の一例を説明するためのフロー図である。
【図７】本発明のデジタル複合機によるプレビュー表示処理の一例を説明するためのフロー図である。
【図８】本発明のデジタル複合機によるプレビュー表示処理の一例を説明するためのフロー図である。
【図９】プレビュー表示画面の一例を示す図である。
【図１０】試し印刷確認ダイアログの一例を示す図である。
【図１１】プレビュー再設定画面の一例を示す図である。
【図１２】プレビュー表示しない場合の試し印刷後の変更画面の一例を示す図である。
【符号の説明】
【０１２３】
１…デジタル複合機、２…外部コンピュータ、３…外部コンピュータ、４…インターネットＦＡＸ装置、５…ファクシミリ装置、１０…タッチパネル、１１…パネル制御部、１２…記録部、１３…読取部、１４…フォーマット変換部、１５…画像記憶部、１６…画像処理部、１６ａ…プレビュー画像生成部、１７…符号化／復号部、１８…メイン制御部、１９…制御用メモリ、２０…キー操作部、２１…ＬＡＮ制御部、２２…制御用バッファ、２３…ＮＣＵ、２４…モデム、２５…ＵＳＢＩ／Ｆ、３０…操作パネル、３１…キー操作部、３１ａ…テンキー、３１ｂ…クリアキー、３１ｃ…全解除キー、３１ｄ…スタートキー、３１ｅ，３１ｆ，３１ｇ…機能切替キー、３１ｈ…システム設定キー、３２…タッチパネル。
【図１】
2010034844.tif 000003
【図２】
2010034844.tif 000004
【図３】
2010034844.tif 000005
【図４】
2010034844.tif 000006
【図５】
2010034844.tif 000007
【図６】
2010034844.tif 000008
【図７】
2010034844.tif 000009
【図８】
2010034844.tif 000010
【図９】
2010034844.tif 000011
【図１０】
2010034844.tif 000012
【図１１】
2010034844.tif 000013
【図１２】
2010034844.tif 000014